(57)【要約】【課題】  小型で可動部分を持たない単純、即ち安価に製造可能なデザインでありながら、ノートパソコンを簡便に任意の角度に傾斜させて使用することができ、しかも衝撃に対しても安全に用い得る装置を提供する。【解決手段】台座部分1、ノートパソコン傾斜支持部分2、及び低傾斜角支持部分4、ノートパソコン前面下端滑り止め部分3を固定的に組み合わせた形状の装置を作れば、そしてそこにノートパソコン自体を両手で適当な角度位置に調節載置できるようにすれば、即ち当該装置は課題を解決する装置である。【選択図】図4
2006313423.tif 000002
【特許請求の範囲】
【請求項１】
ノートパソコンを斜めに凭せ掛けて使用するための台であり、台座部分(1)、ノートパソコンの裏面支持部分(2)、ノートパソコン前面下端が台座上面を水平方向に滑るのを防止する滑り止め部分(3)、とからなり、(2)の裏面支持部分がノートパソコン裏面を局部的に支持し、且つ(3)の滑り止め部分がノートパソコンの前面下端を滑り止める水平位置を任意に調節が可能な様式、即ちノートパソコンの傾斜を任意な角度に調節が可能な様式を備え、どの調節角度においてもノートパソコンのディスプレイ部を自由に開閉することが可能であり、(1)、(2)、(3)の何れの部分も固定された状態(可動部分がない)で使用できることを特徴とするノートパソコン傾斜支持台。
【請求項２】
(3)の滑り止め部分が、ノートパソコンを複数の段階的な角度に調節可能にできる構造を有していることを特徴とする請求項１に記載のノートパソコン傾斜支持台。
【請求項３】
(3)の滑り止め部分が、ノートパソコンを無段階に連続的な角度に調節可能にできる構造を有していることを特徴とする請求項１に記載のノートパソコン傾斜支持台。
【請求項４】
(3)の滑り止め部分に、合成樹脂素材が用いられていることを特徴とする請求項２、又は請求項３に記載のノートパソコン傾斜支持台。
【請求項５】
(3)の滑り止め部分に、天然又は合成の弾性素材（エラストマー）が用いられていることを特徴とする請求項２又は請求項３に記載のノートパソコン傾斜支持台。
【発明の詳細な説明】
【技術分野】
【０００１】
本発明は、ノートパソコンを机上で任意の角度に傾斜させて使用するための簡便な傾斜支持台に関するものである。
【背景技術】
【０００２】
ノートパソコンを斜めに保持する装置としては、実用新案登録第3056053号公報や特開2000-105626公報や特開2003-044165号公報などに既に提案がある。しかし、これらの中前2者の提案においては、ノートパソコンはその裏面全体で保持される構造を有しており、装置がやや大掛かりである上、ノートパソコン裏面からの排熱効率が悪い。また、実用新案登録第3056053号では、ノートパソコンを斜めに持たせ掛けた状態でディスプレイ部分を自由に開閉できる構造を有していない。
【０００３】
特開2000-105626公報では、ノートパソコンを斜めに保持した状態でディスプレイ部を自由に開閉できるようであるが、この提案ではノートパソコンを可動式の載台に乗せるようになっていて、載台そのものの角度が自由に変えられる機構になっており装置として複雑で大掛かりである。またこの場合の滑り止め部は、ノートパソコンが可動な載台面から滑り落ちるのを防止するためのものである。
【０００４】
特開2003-044165号公報においては、可動部分のないノートパソコン傾斜支持台でありしかもディスプレイ部分を自由に開閉できる方式が提案されているが、傾斜角度を自由に調節して変更することができるという工夫がない。ノートパソコンを傾斜支持台に載置する際の衝撃を緩和するものもない。
【特許文献１】特開2000-105626号公報
【特許文献２】実用新案登録第3056053号公報
【特許文献３】特開2003-044165号公報
【発明の開示】
【発明が解決しようとする課題】
【０００５】
小型で可動部分を持たない単純な構造でありながら、ノートパソコンを任意の角度に傾斜させて使用するのに、簡便にしかも衝撃に対し安全に用い得る装置を提供する。
【課題を解決するための手段】
【０００６】
ノートパソコン自体を両手でもって角度調節して持たせ掛けることができるようにしたそれ自体に可動部分を持たない単純な構造の傾斜支持台とする。持たせ掛けたパソコンの前面下部が支持台の上で滑らないように滑り止め部分を設け、しかも滑り止める水平位置を容易に変更できる構造とする。また、ノートパソコンがどの傾斜角度にあってもディスプレイ部分を自由に開閉し得る構造にする。更に、ノートパソコン裏面の排熱が促進されるよう、背面の支持は局部とする。特に、滑り止め部分にゴム系又はプラスチック系の弾性素材（エラスチマー）などの合成樹脂を用いることで、滑り止め位置を連続又は段階的に可変としながら、ノートパソコンを本発明品に載置する際の衝撃も吸収することができるようにする。
【発明の効果】
【０００７】
本発明品の全体の効果として以下の（ア）から（ク）のようなことが挙げられるが、特に（ア）と（イ）が従来の技術からは得られない本発明に固有の効果である。（オ）と（キ）も本発明から導かれる効果と言える。
各利用者にとって一番使い易いノートパソコンの傾斜角度を簡単に選べる。傾斜角度の調整により、キーボード操作面の机上面に対する角度とディスプレイ部の机上面からの高さを調整できる。
ノートパソコンを使い易い傾斜角度にして両手で本発明品に載置する際、滑り止め部材に弾性体(エラストマー)を用いれば、ノートパソコンに過度の衝撃を与えないようにすることができる。弾性体には高い摩擦抵抗を示すものが多く、滑り止めと緩衝の両方の役割を果たす。
主にマウスを使用して操作する場合、ディスプレイの位置を高くできるのでノートパソコンを使用する利用者の姿勢をよくできる。
ディスプレイの位置を高くできるので、少人数の会議や説明会ではＯＨＰやプロジェクターの代わりの表示機として使える。
傾斜支持装置を小型軽量とできるので持ち運びが簡単。組み立て式にすれば、更に携帯性が増す。
ノートパソコンを傾斜させて使用するので、ノートパソコンを机上面に水平に置いて使用する場合に比べ、机上占有面積を減らすことができる。
可動部分を持たない単純な構造なので、耐久性に優れ、製造価格を低く抑えた製品を造ることが可能である。
ノートパソコン裏面からの排熱をよくできる。
【発明を実施するための最良の形態】
【０００８】
本発明の最良な実施形態のひとつとして図２のような構成のものが考えられる。1は台座部分、2はノートパソコンの裏面を支持する部分、そして3がノートパソコンの前面下端の滑り止め部分であり、これが滑り抵抗が高い合成ゴム、例えばシリコーンゴムやウレタンゴム、或いは合成樹脂系エラストマーなどの素材からできている。図中の4は、ノートパソコンを水平に近い低い傾斜角度にして使用する場合(図６参照)のノートパソコン裏面の支持のための「低傾斜角支持部分」であるが、大きい傾斜角で通常に使用している際に万が一パソコンの前面下端が滑り止め部分3を超えて滑った場合のストッパーとしての役割も担う。図３は、図２の本発明品と机上のノートパソコンをそれぞれに並べて横から見た図である。
【０００９】
図２のような本発明品にノートパソコンを傾斜させて載置した状態を真横から見た状態が図４や図５である。滑り止め部分3の前後方向長さの範囲内でノートパソコン前面下端
の水平位置を調整できる。図４の例は、ノートパソコンを大きく傾斜させた例であり、このように使う場面としては、少人数での説明会や展示会などでディスプレイ画面を他の人に見せたいときが考えられる。つまり、ノートパソコンそのものをプロジェクターの代わりに使う使い方である。殆どマウス操作だけで使用する。
【００１０】
図５はノートパソコンの傾斜角度が約45度の場合であるが、この程度の傾斜角度ならキーボードから短い文章を入力するのに特に支障はない。ディスプレイ部が操作者の目線の高さになり、背筋を伸ばした姿勢でノートパソコンを操作できるので健康に良い。マウス操作が多く、時々短い文章を入力するといった場合にはこのような角度の使い方がよい。
この傾斜角度でノートパソコンを使用し、長い文章を入力したい場合には、別途に外付けのキーボードをノートパソコンに接続し、それをノートパソコン手前の机上に置いて使用するのもよい。
【実施例１】
【００１１】
図1は、本発明のもうひとつの実施例である。滑り止め部分2に複数の溝があり、ノートパソコン前面下端を置く水平位置が段階的になる例である。この場合、溝そのものも滑り止めの役割を果たすので、同じ素材を使うなら図2の場合に比べ滑り止め効果は高い。
溝の切り方は他にも考えられる。何れにせよ調整できる角度が飛び飛びの値になるが、ある程度の数(例えば5本以上)あれば実用上は特に支障がないと思われる。ノートパソコンを本発明品に載置する際などの取り扱い時の衝撃緩和の意味から、この場合においても滑り止め部分3には弾性体(エラストマー)が用いられるのが好ましい。
【００１２】
図6は、図１又は図２のような本発明品を使用している時、キーボード操作面からの入力をする場合などのために一時的にノートパソコンを水平に近い角度に戻した状態を横からみた図である。キーボード入力の多い使い方の時はこの図６のように使い、マウス操作中心に使う時に図4や図5のように使う、という風に使い分けることができる。
【図面の簡単な説明】
【００１３】
【図１】溝入りの滑り止め部分3が用いられていて、ノートパソコンを傾斜支持する角度が飛び飛びの値になる場合の本発明の一例。
【図２】滑り止め部分3に平坦なエラストマー素材が用いられていて、ノートパソコンの傾斜支持角度を無段階に調整変化させることのできる本発明の一例。
【図３】図２の場合の本発明品、及びノートパソコンを机上に並べて横から見た図。
【図４】図３におけるノートパソコンを、図２に示す本発明品に対して使用している状態を横から見た図。滑り止め部分3の後端近くにノートパソコンの前面下端を置いた傾斜角度が大きい場合の例。
【図５】図３におけるノートパソコンを、図２に示す本発明品に対して使用している状態を横から見た図。滑り止め部分3の前端近くにノートパソコンの前面下端を置いた傾斜角度が小さい場合の例。
【図６】図３におけるノートパソコンを、低傾斜角支持部分4に支持させて使用している状態を横から見た図。このように傾斜角度の小さい支持状態では、キーボード操作は非常にやりやすくなる。
【符号の説明】
【００１４】
１・・・台座部分  
２・・・ノートパソコン裏面の傾斜支持部分  
３・・・ノートパソコン前面下端の滑り止め部分  
４・・・ノートパソコン裏面の低傾斜角支持部分
５・・・机
６・・・ノートパソコン
７・・・ノートパソコンのディスプレイ部分
８・・・ノートパソコンの電源コード
【図１】
2006313423.tif 000003
【図２】
2006313423.tif 000004
【図３】
2006313423.tif 000005
【図４】
2006313423.tif 000006
【図５】
2006313423.tif 000007
【図６】
2006313423.tif 000008